(57)【特許請求の範囲】
【請求項１】
センサ装置と校正装置とを備える生体情報測定装置であって、
前記校正装置は、
第１生体情報を間欠的に測定する測定部と、
前記第1生体情報を含むデータと、前記校正装置の識別情報である校正識別情報とを前記センサ装置へ送信する送信部と、を備え、
前記センサ装置は、
前記データと前記校正識別情報とを受信する受信部と、
前記校正識別情報が、前記センサ装置に対応する校正装置の情報であるかを判定する判定部と、
脈波を時間的に連続して検出する検出部と、
前記校正識別情報が前記対応する校正装置の情報である場合に、前記第１生体情報によって前記脈波を校正し、前記校正された脈波から第２生体情報を算出する算出部と、
を備える生体情報測定装置。
【請求項２】
前記センサ装置は、前記対応する校正装置の識別情報を予め記憶しているセンサ記憶部をさらに備え、
前記判定部は、前記校正識別情報が前記センサ記憶部に記憶される識別情報に含まれている場合に、前記校正識別情報が対応する校正装置の情報であると判定する請求項１に記載の生体情報測定装置。
【請求項３】
前記センサ装置は、前記対応する校正装置の識別情報を登録するセンサ登録部をさらに備え、
前記判定部は、前記校正識別情報が前記センサ登録部に登録される識別情報に含まれている場合に、前記校正識別情報が対応する校正装置の情報であると判定する請求項１に記載の生体情報測定装置。
【請求項４】
前記校正識別情報が前記センサ装置に対応する校正装置の情報でないと判定された場合に、正当でない装置である旨を前記校正装置に送信する送信部をさらに備える請求項１乃至３のいずれか１項に記載の生体情報測定装置。
【請求項５】
前記センサ装置は、
前記センサ装置に対応する校正装置の識別情報を記憶しているセンサメモリと、
第１電波を放射し、かつ第２電波を受信し、前記第２電波に含まれる識別情報が前記センサメモリにあるものと一致した場合に、前記第２電波を放射する校正装置とペアリングするセンサペアリング部と、をさらに備え、
前記校正装置は、
前記校正装置に対応するセンサ装置の識別情報を記憶している校正メモリと、
前記第２電波を放射し、かつ前記第１電波を受信し、前記第１電波に含まれる識別情報が前記校正メモリに記憶されているものと一致した場合に、前記第１電波を放射するセンサ装置とペアリングする校正ペアリング部と、をさらに備える請求項１乃至４のいずれか１項に記載の生体情報測定装置。
【請求項６】
前記センサ装置は、ペアリングが解除されたかを判定し、解除されたと判定した場合に、前記センサペアリング部にペアリングを開始することを指示するセンサ解除検出部をさらに備え、
前記校正装置は、ペアリングが解除されたかを判定し、解除されたと判定した場合に、前記校正ペアリング部にペアリングを開始することを指示する校正解除検出部をさらに備える請求項５に記載の生体情報測定装置。
【請求項７】
前記測定部は、前記検出部から得られる第２生体情報よりも精度よく第１生体情報を測定する請求項１乃至６のいずれか１項に記載の生体情報測定装置。
【請求項８】
前記検出部は、前記脈波を一拍ごとに検出し、
前記第１生体情報及び前記第２生体情報は血圧である請求項１乃至７のいずれか１項に記載の生体情報測定装置。
【請求項９】
センサ装置と校正装置とを備える生体情報測定装置での生体情報測定方法であって、
前記校正装置では、
第１生体情報を間欠的に測定し、
前記第1生体情報を含むデータと、前記校正装置の識別情報である校正識別情報とを前記センサ装置へ送信し、
前記センサ装置では、
前記データと前記校正識別情報とを受信し、
前記校正識別情報が、前記センサ装置に対応する校正装置の情報であるかを判定し、
脈波を時間的に連続して検出し、
前記校正識別情報が前記対応する校正装置の情報である場合に、前記第１生体情報によって前記脈波を校正し、前記校正された脈波から第２生体情報を算出することを備える生体情報測定方法。
【請求項１０】
コンピュータを、請求項１乃至８のいずれか１項に記載の生体情報測定装置として機能させるためのプログラム。
【発明の詳細な説明】
【技術分野】
【０００１】
この発明は、生体情報を連続測定する生体情報測定装置、方法及びプログラムに関する。
【背景技術】
【０００２】
生体情報を活用して早期に生体の異変を察知して治療に役立てることは、センサ技術の発展に伴い、高性能なセンサが容易に利用できる環境になり医療における重要性も次第に増してきている。  
手首の橈骨動脈等の動脈が通る生体部位に圧力センサを直接接触させた状態で、この圧力センサにより検出される情報を用いて脈拍や血圧等の生体情報を測定することのできる生体情報測定装置が知られている（例えば日本国特開２００４−１１３３６８号公報参照）。【０００３】
日本国特開２００４−１１３３６８号公報に記載の血圧測定装置は、圧力センサを接触させる生体部位とは別の部位において、カフを用いて血圧値を算出し、算出した血圧値から校正データを生成する。そして、圧力センサにより検出される圧脈波をこの校正データを用いて校正することで、一拍ごとに血圧値を算出している。
【発明の概要】
【０００４】
しかし、日本国特開２００４−１１３３６８号公報に記載の血圧測定装置では、装置が大型で測定の精度を上げることが難しい。また、限定した環境で行う、かつ特定の人が操作することが前提のため、日常の診療や在宅で使用することは困難である。さらに、この血圧測定装置は、チューブや配線が多くわずらわしくて、日常や睡眠中に使用することは現実的ではない。
【０００５】
この発明は上記事情に着目してなされたもので、その目的とするところは、常時装着して時間的に連続して生体情報を校正しつつ正確な情報を取得することができる生体情報測定装置、方法及びプログラムを提供することにある。
【０００６】
上記課題を解決するためにこの発明の第１の態様は、センサ装置と校正装置とを備える生体情報測定装置であって、前記校正装置は、第１生体情報を間欠的に測定する測定部と、前記第1生体情報を含むデータと、前記校正装置の識別情報である校正識別情報とを前記センサ装置へ送信する送信部と、を備え、前記センサ装置は、前記データと前記校正識別情報とを受信する受信部と、前記校正識別情報が、前記センサ装置に対応する校正装置の情報であるかを判定する判定部と、脈波を時間的に連続して検出する検出部と、前記校正識別情報が前記対応する校正装置の情報である場合に、前記第１生体情報によって前記脈波を校正し、前記校正された脈波から第２生体情報を算出する算出部と、を備えるものである。
【０００７】
この発明の第２の態様は、前記センサ装置は、前記対応する校正装置の識別情報を予め記憶しているセンサ記憶部をさらに備え、前記判定部は、前記校正識別情報が前記センサ記憶部に記憶される識別情報に含まれている場合に、前記校正識別情報が対応する校正装置の情報であると判定するものである。
【０００８】
この発明の第３の態様は、前記センサ装置は、前記対応する校正装置の識別情報を登録するセンサ登録部をさらに備え、前記判定部は、前記校正識別情報が前記センサ登録部に登録される識別情報に含まれている場合に、前記校正識別情報が対応する校正装置の情報であると判定するものである。
さらにこの発明の第３とは別の新たな態様は、前記校正識別情報が前記センサ装置に対応する校正装置の情報でないと判定された場合に、正当でない装置である旨を前記校正装置に送信する送信部をさらに備えるものである。
【０００９】
この発明の第４の態様は、前記センサ装置は、前記センサ装置に対応する校正装置の識別情報を記憶しているセンサメモリと、第１電波を放射し、かつ第２電波を受信し、前記第２電波に含まれる識別情報が前記センサメモリにあるものと一致した場合に、前記第２電波を放射する校正装置とペアリングするセンサペアリング部と、をさらに備え、前記校正装置は、前記校正装置に対応するセンサ装置の識別情報を記憶している校正メモリと、前記第２電波を放射し、かつ前記第１電波を受信し、前記第１電波に含まれる識別情報が前記校正メモリに記憶されているものと一致した場合に、前記第１電波を放射するセンサ装置とペアリングする校正ペアリング部と、をさらに備えるものである。
【００１０】
この発明の第５の態様は、前記センサ装置は、ペアリングが解除されたかを判定し、解除されたと判定した場合に、前記センサペアリング部にペアリングを開始することを指示するセンサ解除検出部をさらに備え、
前記校正装置は、ペアリングが解除されたかを判定し、解除されたと判定した場合に、前記校正ペアリング部にペアリングを開始することを指示する校正解除検出部をさらに備えるものである。
【００１１】
この発明の第６の態様は、前記測定部は、前記検出部から得られる第２生体情報よりも精度よく第１生体情報を測定するものである。
【００１２】
この発明の第７の態様は、前記検出部は、前記脈波を一拍ごとに検出し、前記第１生体情報及び前記第２生体情報は血圧であるものである。
【００１３】
この発明の第１の態様によれば、センサ装置は、脈波を時間的に連続して検出する検出部と、校正識別情報が対応する校正装置の情報である場合に、第１生体情報によって脈波を校正し、校正された脈波から第２生体情報を算出する算出部とを備えていて、センサ装置が校正装置と分離されているので、センサ装置はコンパクトになっていてより確実に脈波を取得できる位置にセンサを配置しやすくなる。校正装置は、第１生体情報を間欠的に測定し、第1生体情報を含むデータと、前記校正装置の識別情報である校正識別情報とを前記センサ装置へ送信するので、脈波から精度のよい生体情報を算出することが可能になり、高精度の生体情報をユーザが簡単に得ることが可能になる。また、測定部は間欠的に測定するのみなので、測定部がユーザを干渉する時間が少なくなる。さらに、校正装置も独立しているので、センサ装置の配置に依存することなく、校正しやすい位置に容易に設定することができる。また、センサ装置が、校正装置の識別情報である校正識別情報を取得し、校正識別情報が、前記センサ装置に対応する校正装置の情報であるかを判定し、校正識別情報が対応する校正装置の情報である場合に、センサ装置は、ペアになる校正装置を確認して、例えば、同一人物に装着されていて、かつある基準を満たしている校正装置からの血圧データを受信することができる。この結果、何度校正しても常に同じペアのセンサ装置と校正装置で血圧を測定することが保証される。
【００１４】
この発明の第２の態様によれば、センサ装置は、前記対応する校正装置の識別情報を予め記憶しているセンサ記憶部をさらに備え、センサ装置の判定部は、校正装置の識別情報である校正識別情報が前記センサ記憶部に記憶される識別情報に含まれている場合に、前記校正識別情報が対応する校正装置の情報であると判定することにより、センサ装置とペアを組むことが予定されている校正装置と血圧測定を行うことができる。例えば、精度がある基準よりも高い校正装置の識別情報を予めセンサ装置で記憶しておけば、精度の高い血圧測定を行うことができる。
【００１５】
この発明の第３の態様によれば、センサ装置は、前記対応する校正装置の識別情報を登録するセンサ登録部をさらに備え、判定部は、校正装置の識別情報である校正識別情報が前記センサ登録部に登録される識別情報に含まれている場合に、前記校正識別情報が対応する校正装置の情報であると判定することにより、ペアを組むセンサ装置と校正装置との間でのみ確実にデータのやり取りをすることができる。従って、センサ装置と校正装置で異なる生体を測定することがなくなり、確実に同一の生体に装着したセンサ装置と校正装置とで生体情報を測定することができる。
さらにこの発明の第３とは別の上記の新たな態様によれば、校正識別情報がセンサ装置に対応する校正装置の情報でないと判定された場合に、正当でない装置である旨を前記校正装置に送信することにより、この校正装置は校正識別情報を送信したセンサ装置とペアを組むことができないことを校正装置側とセンサ装置側との両方で知ることができる。この結果、校正装置及びセンサ装置がペアを組むことができない装置を判定することができるので、校正装置とセンサ装置との間で無意味なデータのやり取りがなくなる。
【００１６】
この発明の第４の態様によれば、センサ装置は、前記センサ装置に対応する校正装置の識別情報を記憶しているセンサメモリと、第１電波を放射し、かつ第２電波を受信し、前記第２電波に含まれる識別情報が前記センサメモリにあるものと一致した場合に、第２電波を放射する校正装置とペアリングするセンサペアリング部と、をさらに備え、校正装置は、前記校正装置に対応するセンサ装置の識別情報を記憶している校正メモリと、前記第２電波を放射し、かつ前記第１電波を受信し、前記第１電波に含まれる識別情報が前記校正メモリに記憶されているものと一致した場合に、前記第１電波を放射するセンサ装置とペアリングする校正ペアリング部と、をさらに備えることにより、センサ装置または校正装置のいずれかが故障した場合に、故障していない装置に記憶されている相手装置の識別情報に基づいて新たにペアリングすることができるので、故障による生体情報の測定を直ちに再開して継続することが可能になる。センサメモリと校正メモリに精度が確保された装置のみを登録しておけば、センサ装置または校正装置のいずれかが故障した場合にも精度を確保して生体情報の測定を継続することができる。
【００１７】
この発明の第５の態様によれば、センサ装置は、ペアリングが解除されたかを判定し、解除されたと判定した場合に、センサペアリング部にペアリングを開始することを指示するセンサ解除検出部をさらに備え、校正装置は、ペアリングが解除されたかを判定し、解除されたと判定した場合に、校正ペアリング部にペアリングを開始することを指示する校正解除検出部をさらに備えることにより、通信状況が悪化した等でペアリングが解除された場合でも、センサ装置及び校正装置がどちらもペアリングの解除を検出しペアリングを開始するので、少ない断絶でセンサ装置と校正装置との接続を再開することができる。この結果、通信状況が悪化してペアリングが解除される場合でも通信状況が改善すれば直ちに生体情報の測定を再開することができる。
【００１８】
この発明の第６の態様によれば、検出部から得られる第２生体情報よりも精度よく第１生体情報を測定することにより、精度の良い生体情報を測定部から得て校正することにより、検出部からの脈波を基にして得られる生体情報の精度が確保できるので、時間的に連続して精度良く生体情報を算出することが可能になる。
【００１９】
この発明の第７の態様によれば、検出部は前記脈波を一拍ごとに検出し、第１生体情報及び第２生体情報は血圧であるので、生体情報測定装置は脈波一拍ごとに血圧を時間的に連続して測定することができる。
【００２０】
すなわちこの発明の各態様によれば、常時装着して時間的に連続して生体情報を校正しつつ正確な情報を取得することができる生体情報測定装置、方法及びプログラムを提供することができる。
【図面の簡単な説明】
【００２１】
【図１】図１は、第１の実施形態に係る血圧測定装置を示すブロック図である。
【図２】図２は、図１の血圧測定装置を手首に装着した一例を示す図である。
【図３】図３は、図１の血圧測定装置を手首に装着した別例を示す図である。
【図４】図４は、オシロメトリック法でのカフ圧及び脈波信号の時間経過を示す図である。
【図５】図５は、一拍ごとの脈圧の時間変化とそのうちの１つの脈波を示す図である。
【図６】図６は、校正手法を示すフローチャートである。
【図７】図７は、図１の血圧測定装置のセンサ装置から校正装置へデータを送る際のフローチャートである。
【図８】図８は、第２の実施形態に係る血圧測定装置を示すブロック図である。
【図９】図９は、図８の血圧測定装置のセンサ装置と校正装置が識別情報を交換するフローチャートである。
【図１０】図１０は、図８の血圧測定装置のセンサ装置から校正装置へデータを送る際のフローチャートである。
【図１１】図１１は、第３の実施形態に係る血圧測定装置を示すブロック図である。
【図１２】図１２は、図８の血圧測定装置のセンサ装置が校正装置を識別する動作を示すフローチャートである。
【図１３】図１３は、第４の実施形態に係る血圧測定装置を示すブロック図である。
【図１４】図１４は、図１３の血圧測定装置のセンサ装置と校正装置とがペアリングする動作を示すフローチャートである。
【図１５】図１５は、第５の実施形態に係る血圧測定装置を示すブロック図である。
【図１６】図１６は、図１５の血圧測定装置のペアリングの解除及び再開の動作を示すフローチャートである。
【発明を実施するための形態】
【００２２】
以下、図面を参照してこの発明に係る実施形態の生体情報測定装置、方法及びプログラムを説明する。なお、以下の実施形態では、同一の番号を付した部分については同様の動作を行うものとして、重ねての説明を省略する。
（第１の実施形態）  
本実施形態に係る血圧測定装置１００について図１、図２、及び図３を参照して説明する。図１は、血圧測定装置１００の機能ブロック図であり、センサ装置１１０と校正装置１５０との詳細を示している。図２は、血圧測定装置１００を手首に装着した一例を示す図であり、手のひらの上方から見た概略透視図である。圧脈波センサ１１１は、センサ装置１１０の手首側に配置されている。図３は、血圧測定装置１００が装着されるイメージ図であり、手のひらを横（手を広げた場合の指が並ぶ方向）から見た概略透視図である。図３は、圧脈波センサ１１１が橈骨動脈に直交して配置されている一例を示している。図３は血圧測定装置１００が腕の手のひら側の腕に載せられているだけのように見えるが、実際は血圧測定装置１００は腕に巻き付いている。
【００２３】
血圧測定装置１００は、センサ装置１１０、及び校正装置１５０を含んでいる。センサ装置１１０は、圧脈波センサ１１１、時計部１１２、押圧部１１３、脈波測定部１１４、ポンプ及び弁１１５、圧力センサ１１６、通信部１１７、操作部１１８、表示部１１９、電源部１２０、血圧算出部１２１、校正部１２２、記憶部１２３、ＩＤ（識別情報）判定部１２４、及びＩＤメモリ１２５を含む。校正装置１５０は、通信部１５１、電源部１６５、血圧測定部１５５、ポンプ及び弁１５６、圧力センサ１５７、カフ１５８、表示部１６２、操作部１６３、時計部１６４、及びＩＤメモリ１６６を含む。
【００２４】
血圧測定装置１００は環状になっていて、手首等にブレスレットのように巻き付き、生体情報から血圧を測定する。センサ装置１１０は、図２及び図３に示すように、校正装置１５０よりも手首の手のひらに近い側に配置される。換言すれば、センサ装置１１０は校正装置１５０よりもひじから遠い位置に配置される。本実施形態では、圧脈波センサ１１１が橈骨動脈上に位置するようにセンサ装置１１０が配置され、この配置に伴いセンサ装置１１０よりもひじに近い側に校正装置１５０が配置される。また、センサ装置１１０と校正装置１５０は異なる腕に装着することも可能である。センサ装置１１０と校正装置１５０とは通常同一の高さに配置することが好ましい。さらに、センサ装置１１０と校正装置１５０とは心臓の高さに合わせて配置することが好ましい。
【００２５】
センサ装置１１０の腕の延伸方向の長さＬ１は、校正装置１５０の延伸方向の長さＬ２よりも小さく設定される。センサ装置１１０の腕の延伸方向の長さＬ１は、４０ｍｍ以下に設定され、より望ましくには１５〜２５ｍｍである。また、センサ装置１１０の腕の延伸方向に垂直な方向の長さＷ１は４〜５ｃｍに設定され、校正装置１５０の延伸方向に垂直な方向の長さＷ２は６〜７ｃｍに設定される。また、長さＷ１と長さＷ２は、０（または０．５）ｃｍ＜Ｗ２−Ｗ１＜２ｃｍの関係にある。この関係によりＷ２が長過ぎないように設定され、周囲と干渉しにくくなる。センサ装置１１０がこの程度の幅に収まることにより、校正装置１５０がより手のひら側に配置され、脈波を検知しやすくなり、測定精度を保つことができる。しかし、校正装置１５０は上腕に配置して測定してもよい。
【００２６】
圧脈波センサ１１１は、圧脈波を時間的に連続して検出する。例えば、圧脈波センサ１１１は一拍ごとに圧脈波を検出する。圧脈波センサ１１１は、図２のように手のひら側に配置され、通常は図３のように腕の延伸方向に平行して配置される。圧脈波センサ１１１によって、心拍に連動して変化する血圧（血圧波形）値の時系列データを得ることができる。
【００２７】
時計部１１２は時刻を圧脈波センサ１１１に出力する。時計部１１２によって圧脈波センサ１１１は時刻と共に圧脈波のデータを他の部に渡すことができる。例えば、記憶部１２３は記憶するデータと共に時刻も記録する。
【００２８】
押圧部１１３は、空気袋であり、圧脈波センサ１１１のセンサ部分を手首に押圧してセンサの感度を上げることができる。
【００２９】
脈波測定部１１４は、圧脈波センサ１１１から時刻と共に圧脈波のデータを受け取り、このデータを血圧算出部１２１及び記憶部１２３へ渡す。また、脈波測定部１１４は、ポンプ及び弁１１５と圧力センサ１１６とを制御して押圧部１１３を加圧または減圧して、圧脈波センサ１１１を手首の橈骨動脈を押しつけるように調整する。
【００３０】
通信部１１７及び通信部１５１は、近距離で互いにデータをやり取りできる通信方式で通信する。これらの通信部は例えば、近距離無線通信方式を使用し、具体的にはブルートゥース（登録商標）、トランスファージェット（登録商標）、ジグビー（登録商標）、アイアールディーエイ（登録商標）などの通信方式がある。
【００３１】
ポンプ及び弁１１５は、脈波測定部１１４からの指示で押圧部１１３を加圧または減圧する。圧力センサ１１６は、押圧部１１３の圧力をモニタして押圧部１１３の圧力値を脈波測定部１１４に知らせる。
【００３２】
電源部１２０は、センサ装置１１０の各部へ電源を供給する。  
ＩＤメモリ１２５は、センサ装置１１０とペアを組む校正装置１５０の識別情報（ＩＤ情報とも称す）を予め記憶している。この識別情報は、校正装置１５０とペアリングする場合に使用される。センサ装置１１０はＩＤメモリ１２５に記憶されている校正装置１５０からのデータを受け取る。ペアを組んでいることは、センサ装置１１０に対応する校正装置１５０、校正装置１５０に対応するセンサ装置１１０とも言う。
【００３３】
血圧測定部１５５は、生体情報である血圧を、圧脈波センサ１１１よりも高精度で測定する。血圧測定部１５５は、例えば、時間的に連続ではなく間欠的に血圧を測定しその値を通信部１５１及び通信部１１７を介して記憶部１２３及び校正部１２２に渡す。血圧測定部１５５は例えば、オシロメトリック法を使用して血圧を測定する。また、血圧測定部１５５は、ポンプ及び弁１５６と圧力センサ１５７とを制御し、カフ１５８を加圧または減圧して血圧を測定する。血圧測定部１５５は、収縮期血圧を測定した時刻と共に収縮期血圧と、拡張期血圧を測定した時刻と共に拡張期血圧と、を通信部１５１及び通信部１１７を介して記憶部１２３へ渡す。なお、収縮期血圧はＳＢＰ（systolic blood pressure）、拡張期血圧はＤＢＰ（diastolic blood pressure）とも称する。
【００３４】
記憶部１２３は、脈波測定部１１４から検出時刻と共に圧脈波のデータを順次取得して記憶し、通信部１５１及び通信部１１７を介して血圧測定部１５５からはこの測定部が動作した際に取得した、ＳＢＰの測定時刻と共にＳＢＰと、ＤＢＰの測定時刻と共にＤＢＰと、を取得し記憶する。また、記憶部１２３は、測定した生体情報（連続血圧）算出に使用した校正用の第１生体情報（血圧測定部１５５が測定）の測定器である校正装置の型式情報および（または）固有識別情報を、測定した生体情報と関連付けて記録してゆく。この結果、測定した生体情報から、どの血圧計（型式や機器固有の番号）で校正したものか知ることが可能になる。
【００３５】
校正部１２２は、血圧測定部１５５が測定時刻と共に測定したＳＢＰ及びＤＢＰと、センサ装置１１０の脈波測定部１１４が測定時刻と共に測定した圧脈波のデータとを記憶部１２３から取得する。校正部１２２は、血圧測定部１５５からの血圧値によって、脈波測定部１１４からの圧脈波を校正する。校正部１２２が行う校正の手法はいくつか考えられるが、校正の手法について詳細を後に図６を参照して説明する。
【００３６】
血圧算出部１２１は、校正部１２２からの校正手法を受け取り、脈波測定部１１４からの圧脈波データを校正して圧脈波データから得られた血圧データを測定時刻と共に記憶部１２３に記憶させる。
【００３７】
電源部１６５は、校正装置１５０の各部へ電源を供給する。
【００３８】
表示部１６２は、血圧測定結果を表示したり、各種の情報をユーザに表示する。表示部１６２は例えば、血圧測定部１５５からのデータを受け取りデータの内容を表示する。例えば、表示部１６２は血圧値データを測定時刻と共に表示する。
【００３９】
また表示部１１９も、血圧測定結果を表示したり、各種の情報をユーザに表示する。表示部１１９は例えば、脈波測定部１１４からのデータを受け取りデータの内容を表示する。例えば、表示部１１９は圧脈波データを測定時刻と共に表示する。
【００４０】
操作部１６３はユーザからの操作を受け付ける。操作部１６３には例えば、血圧測定部１５５に測定を開始させるための操作ボタン、校正を行うための操作ボタン、通信を開始または停止するための操作ボタンがある。
【００４１】
また操作部１１８はユーザからの操作を受け付ける。操作部１１８には例えば、脈波測定部１１４に測定を開始させるための操作ボタン、通信を開始または停止するための操作ボタンがある。
【００４２】
時計部１６４は時刻を生成し必要とする部に供給する。
【００４３】
ＩＤメモリ１６６は、校正装置１５０の識別情報を予め記憶している。
【００４４】
ＩＤ判定部１２４は、校正装置１５０からのデータに含まれるＩＤがセンサ装置１１０のＩＤメモリ１２５に記憶されたものかどうかを判定し、ＩＤメモリ１２５に記憶されたものであればこのデータは正当な校正装置１５０から送信されたデータであると判定し、センサ装置１１０がこの血圧値データを受け入れるように指示する。
【００４５】
なお、ここで説明した脈波測定部１１４、校正部１２２、血圧算出部１２１、及び血圧測定部１５５は、実装の際には例えば、それぞれの部に含まれる２次記憶装置に上述した動作を実行するためのプログラムを記憶しておき、そのプログラムを中央演算装置（ＣＰＵ）が読み込み演算を実行する。なお、２次記憶装置は、例えばハードディスクであるが記憶できる装置であれば何でもよく、半導体メモリ、磁気記憶装置、光学記憶装置、光磁気ディスク、及び相変化記録技術を応用した記憶装置がある。  
また、脈波測定部１１４、校正部１２２、血圧算出部１２１、及び血圧測定部１５５が行う動作を実行するためのプログラムが、センサ装置及び校正装置とは別のサーバ等に記憶されて、そこでプログラムが実行されてもよい。この場合は、センサ装置が測定した脈波データと、校正装置が測定した生体情報である血圧データとをサーバに送信してサーバで校正して、サーバで脈波から血圧をうることができる。この場合にはサーバで処理を行うため、処理速度が上がる可能性がある。さらに、脈波測定部１１４、校正部１２２、血圧算出部１２１、及び血圧測定部１５５の装置部分がセンサ装置と校正装置から除去されるので、それぞれの大きさが小さくなりセンサを正確に測定できる位置に容易に配置することができる。この結果、ユーザへの負担が下がり、簡易に正確な血圧測定を行うことにつながる。
【００４６】
次に、校正部１２２が校正する前に脈波測定部１１４及び血圧測定部１５５が行う内容について図４、図５を参照して説明する。図４は、オシロメトリック法での血圧測定でのカフ圧の時間変化と脈波信号の大きさの時間変化を示す。図４は、カフの圧力の時間変化と脈波信号の時間変化とを示していて、時間と共にカフ圧が上がり、そのカフ圧上昇に伴い脈波信号の大きさが徐々に上昇し最大値になって徐々に減少していること示している。図５は、一拍ごとの脈圧を測定した際に脈圧の時系列データを示している。また、図５はそのうちの１つの圧脈波の波形を示している。
【００４７】
まず、図４を参照して血圧測定部１５５がオシロメトリック法により血圧測定を行うときの動作について簡単に説明する。なお、血圧値の算出は、加圧過程に限らず、減圧過程において行われてもよいが、ここでは加圧過程のみ示す。
【００４８】
ユーザが校正装置１５０に設けられた操作部１６３によってオシロメトリック法による血圧測定を指示すると、血圧測定部１５５は動作を開始して、処理用メモリ領域を初期化する。また、血圧測定部１５５は、ポンプ及び弁１５６のポンプをオフし弁を開いて、カフ１５８内の空気を排気する。続いて、圧力センサ１５７の現時点の出力値を大気圧に相当する値として設定する制御を行う（０ｍｍＨｇ調整）。
【００４９】
続いて、血圧測定部１５５は、圧力制御部として働いて、ポンプ及び弁１５６の弁を閉鎖し、その後ポンプを駆動して、カフ１５８に空気を送る制御を行う。これにより、カフ１５８を膨張させると共にカフ圧（図４のＰｃ）を徐々に増大させ加圧して行く。この加圧過程で、血圧測定部１５５は、血圧値を算出するために、圧力センサ１５７によって、カフ圧Ｐｃをモニタし、被測定部位の手首の橈骨動脈で発生する動脈容積の変動成分を、図４に示すような脈波信号Ｐｍとして取得する。
【００５０】
次に、血圧測定部１５５は、この時点で取得されている脈波信号Ｐｍに基づいて、オシロメトリック法により公知のアルゴリズムを適用して血圧値（ＳＢＰとＤＢＰ）の算出を試みる。また、この時点でデータ不足のために未だ血圧値を算出できない場合は、カフ圧Ｐｃが上限圧力（安全のために、例えば３００ｍｍＨｇというように予め定められている）に達していない限り、上記と同様の加圧処理を繰り返す。  
このようにして血圧値の算出ができたら、血圧測定部１５５は、ポンプ及び弁１５６のポンプを停止し弁を開いて、カフ１５８内の空気を排気する制御を行う。そして最後に、血圧値の測定結果を校正部に渡す。
【００５１】
次に、脈波測定部１１４が一拍ごとの脈波を測定することについて図５を参照して説明する。脈波測定部１１４は例えば、トノメトリ法によって脈波を測定する。  
脈波測定部１１４は、圧脈波センサ１１１が最適な測定を実現するために予め決めておいた最適押圧力となるようにポンプ及び弁１１５と圧力センサ１１６とを制御し、押圧部１１３の内圧を最適押圧力まで増加させて保持する。次に脈波測定部１１４は、圧脈波センサ１１１により圧脈波が検出されると、脈波測定部１１４はこの圧脈波を取得する。
【００５２】
圧脈波は、図５に示すような波形として一拍ごとに検出され、それぞれの圧脈波が連続して検出される。図５の圧脈波５００が一拍の圧脈波であり、５０１の圧力値がＳＢＰに対応し５０２の圧力値がＤＢＰに対応する。図５の圧脈波の時系列に示されるように通常、圧脈波ごとにＳＢＰ５０３及びＤＢＰ５０４は変動している。
【００５３】
次に、校正部１２２の動作について図６を参照して説明する。  
校正部１２２は、血圧測定部１５５が測定した血圧値を利用して、脈波測定部１１４が検出した圧脈波を校正する。すなわち、校正部１２２によって、脈波測定部１１４が検出した圧脈波の最大値５０１及び最小値５０２の血圧値を決定する。
【００５４】
（校正手法）  
脈波測定部１１４が圧脈波を測定時刻と共に圧脈波データの記録を開始し、順次この圧脈波データを記憶部１２３に記憶してゆく（ステップＳ６０１）。その後、例えば、ユーザが操作部１６３を使用して血圧測定部１５５を起動させオシロメトリック法による測定を開始させる（ステップＳ６０２）。血圧測定部１５５が脈波信号Ｐｍに基づいて、オシロメトリック法によりＳＢＰ及びＤＢＰを検出した時刻と共にＳＢＰデータ及びＤＢＰデータをそれぞれ記録し、これらのＳＢＰデータ及びＤＢＰデータを記憶部１２３に記憶する（ステップＳ６０３）。
【００５５】
校正部１２２がＳＢＰデータ及びＤＢＰデータに対応する圧脈波を圧脈波データから取得する（ステップＳ６０４）。校正部１２２が、ＳＢＰに対応する圧脈波の最大値５０１と、ＤＢＰに対応する圧脈波の最小値５０２とに基づき校正式を求める（ステップＳ６０５）。
【００５６】
次に、本実施形態の血圧測定装置のセンサ装置１１０が、血圧測定装置の校正装置１５０から血圧値のデータである血圧データを受信する場合に、センサ装置がその血圧データがこのセンサ装置１１０に対応する所望の校正装置１５０からのデータであるかをチェックすることについて図７を参照して説明する。
本実施形態のセンサ装置１１０と校正装置１５０は、予め自身の識別情報と、相手となるペアを組む装置の識別情報とを記憶している。ここでペアを組む装置とは、同一の生体に装着され、同一の生体の生体情報を検出するセンサ装置１１０と校正装置１５０とのことである。例えば、センサ装置１１０であればＩＤメモリ１２５が自身のＩＤと相手の校正装置１５０のＩＤとを予め記憶し、校正装置１５０であればＩＤメモリ１６６が自身のＩＤと相手のセンサ装置１１０のＩＤとを予め記憶している。しかし、ここでは、ＩＤメモリ１２５に対応する校正装置１５０のＩＤのみを記憶しておくだけでも、正当な校正装置１５０からの血圧データを取得することができる。
【００５７】
まず校正装置１５０が自身のＩＤを使用して血圧データを送信する（ステップＳ７０１）。例えば、校正装置１５０は自身のＩＤを血圧データに付加して送信する。センサ装置１１０は、校正装置１５０からデータを受け取り、この中に含まれているＩＤを抽出し、このＩＤがＩＤメモリ１２５に予め記憶されていたものにあるかどうかを判定して、この血圧データは予め設定された校正装置１５０からのものかをＩＤ判定部１２４が判定する（ステップＳ７０２）。校正装置１５０からのデータに含まれるＩＤがＩＤメモリ１２５に記憶されたものであれば、この血圧データは正当な校正装置１５０から送信されたデータであると判定し、センサ装置１１０はこの血圧データを受け入れる（ステップＳ７０３）。なお、センサ装置１１０は、校正装置１５０に、血圧データを受け入れたことを示すアクノレッジを返信してもよい。
【００５８】
一方、校正装置１５０からのデータに含まれるＩＤがＩＤメモリ１２５に記憶されたものでない場合には、この血圧データは正当な校正装置１５０から送信されたデータではないと判定する（ステップＳ７０４）。また、この場合には、センサ装置１１０が血圧データと共に送信されてきた送信元のＩＤを使用して、正当でない校正装置である旨をこの送信元に送信する（ステップＳ７０４）。送信元の校正装置はこの正当でない校正装置である旨を受け取り、自身が送信した血圧データが校正を受けていないことを知ることができる。
【００５９】
以上の第１の実施形態によれば、センサ装置１１０と校正装置１５０とが分離しているので、校正装置１５０の位置合わせを考慮する必要が少なくなり、センサ装置１１０の圧脈波センサ１１１を最適な位置に合わせて配置することができる。校正装置１５０が測定した第１血圧値によって脈波を校正し、脈波から第２血圧値を算出するので、脈波から精度のよい生体情報を算出することが可能になり、高精度の生体情報をユーザが簡単に得ることが可能になる。さらに、校正装置１５０も独立しているので、センサ装置１１０の配置に依存することなく、校正しやすい位置に容易に設定することができる。また、互いの装置で予め自身と相手のＩＤを記憶しておくので校正を行う装置では、ペアを組む正当な相手装置から血圧データを取得することができ、ペアを組んでいない相手からのデータを誤って使用することがなくなる。
【００６０】
（第２の実施形態）  
本実施形態に係る血圧測定装置８００について図８、図２、及び図３を参照して説明する。図８は、血圧測定装置８００の機能ブロック図であり、センサ装置８１０と校正装置８５０との詳細を示している。図２は、血圧測定装置１００を手首に装着した一例を示す図であり、手のひらの上方から見た概略透視図であるが、血圧測定装置８００でも同様である。圧脈波センサ１１１は、センサ装置１１０の手首側に配置されている。図３は、血圧測定装置１００が装着されるイメージ図であり、手のひらを横（手を広げた場合の指が並ぶ方向）から見た概略透視図であるが、血圧測定装置８００でも同様である。図３は、圧脈波センサ１１１が橈骨動脈に直交して配置されている一例を示している。図３は血圧測定装置１００が腕の手のひら側の腕に載せられているだけのように見えるが、実際は血圧測定装置１００は腕に巻き付いている。図２及び図３は第１の実施形態と同様である。
【００６１】
本実施形態の血圧測定装置８００は、第１の実施形態に係る血圧測定装置１００とは、センサ装置８１０と校正装置８５０とが異なる。  
本実施形態のセンサ装置８１０は、第１の実施形態のセンサ装置１１０にＩＤ登録部８１１を付加したものである。ＩＤ登録部８１１は、ペア相手の校正装置８５０のＩＤを登録する。  
本実施形態の校正装置８５０は、第１の実施形態の校正装置１５０にＩＤ登録部８５１を付加したものである。ＩＤ登録部８５１は、ペア相手のセンサ装置８１０のＩＤを登録する。
【００６２】
次に、センサ装置８１０及び校正装置８５０のそれぞれが、相手装置のＩＤを登録するための動作について図９を参照して説明する。  
センサ装置８１０が校正装置８５０の登録ＩＤを使用して校正装置８５０へアクセスする（ステップＳ９０１）。このステップでセンサ装置８１０が校正装置８５０に接続してセンサ装置８１０の識別情報を校正装置８５０に与えることができる。そして、校正装置８５０がセンサ装置８１０のＩＤを取得しＩＤ登録部８５１がＩＤメモリ１６６にこのＩＤを登録する（ステップＳ９０２）。
【００６３】
校正装置８５０がセンサ装置８１０のＩＤを使用してセンサ装置８１０にアクセスする（ステップＳ９０３）。このステップで校正装置８５０がセンサ装置８１０に接続して校正装置８５０の識別情報をセンサ装置８１０に与えることができる。そして、センサ装置８１０が校正装置８５０のＩＤを取得しＩＤ登録部８１１がＩＤメモリ１２５にこのＩＤを登録する（ステップＳ９０４）。
【００６４】
次に、校正装置８５０が血圧データを送信して、センサ装置８１０が血圧データを受信することについて図１０を参照して説明する。図１０は、血圧測定装置のセンサ装置８１０へ血圧データを送信する場合に、センサ装置がその血圧データがこのセンサ装置８１０に対応する所望の校正装置８５０からのデータであるかをチェックすることを示している。  
まず図７での説明と同様に校正装置８５０が自身のＩＤを使用して血圧データを送信する（ステップＳ７０１）。センサ装置８１０は、校正装置８５０からデータを受け取り、データと共に送信されるＩＤを抽出し、このＩＤがＩＤメモリ１２５に登録済みのＩＤであるかどうかをＩＤ判定部１２４が判定して、この血圧データが登録済みの校正装置８５０からのものかを判定する（ステップＳ１００１）。
【００６５】
校正装置８５０からのデータと共に送信されるＩＤがＩＤメモリ１２５に登録済みのものであれば、この血圧データは正当な校正装置８５０から送信されたデータであると判定し、センサ装置８１０はこの血圧データを受け入れる（ステップＳ１００２）。なお、センサ装置８１０は校正装置８５０に、送信した血圧データを受け入れたことを示すアクノレッジを返信してもよい。
【００６６】
一方、校正装置８５０からのデータと共に送信されたＩＤがＩＤメモリ１２５に記憶されたものでない場合には、この血圧データは正当な校正装置８５０から送信されたデータではない判定する（ステップＳ１００３）。また、この場合には、センサ装置８１０が血圧データと共に送信された送信元のＩＤを使用して、未登録の校正装置である旨をこの送信元に送信する（ステップＳ７０４）。送信元の校正装置はこの未登録の校正装置である旨を受け取り、自身が送信した血圧データが校正を受けていないことを知ることができる。
【００６７】
以上の第２の実施形態によれば、第１の実施形態の効果に加え、ペアを組む相手のＩＤをセンサ装置８１０及び校正装置８５０が登録することにより、ペアを組む正当な相手装置から脈波データまたは血圧データを取得することができ、ペアを組んでいない相手からのデータを誤って使用することがなくなる。
【００６８】
（第３の実施形態）  
本実施形態に係る血圧測定装置１１００について図１１、図２、及び図３を参照して説明する。図１１は、血圧測定装置１１００の機能ブロック図であり、センサ装置１１１０と校正装置８５０との詳細を示している。図２は、血圧測定装置１００を手首に装着した一例を示す図であり、手のひらの上方から見た概略透視図であるが、血圧測定装置１１００でも同様である。圧脈波センサ１１１はセンサ装置１１１０の手首側に配置されている。図３は、血圧測定装置１００が装着されるイメージ図であり、手のひらを横（手を広げた場合の指が並ぶ方向）から見た概略透視図であるが、血圧測定装置１１００でも同様である。図３は、圧脈波センサ１１１が橈骨動脈に直交して配置されている一例を示している。図３は血圧測定装置１００が腕の手のひら側の腕に載せられているだけのように見えるが、実際は血圧測定装置１００は腕に巻き付いている。図２及び図３は第１の実施形態と同様である。
【００６９】
本実施形態の血圧測定装置１１００は、第２の実施形態に係る血圧測定装置８００とは、センサ装置１１１０のみ異なる。  
本実施形態のセンサ装置１１１０は、第２の実施形態のセンサ装置８１０に校正装置情報メモリ１１１１を付け加えたものである。校正装置情報メモリ１１１１は、校正装置として使用することが可能な校正装置のＩＤ等の固有情報を予め記憶している。ＩＤ判定部１２４は、ＩＤメモリ１２５から取得したＩＤを受け取り、このＩＤが校正装置情報メモリ１１１１に予め記憶されているものであるかどうか判定する。さらにＩＤ判定部１２４は、校正装置情報メモリ１１１１に予め記憶されているＩＤであった場合には、現在の相手の校正装置が正当な装置であると判定する。一方、受け取ったＩＤが校正装置情報メモリ１１１１に予め記憶されているＩＤでなかった場合には、現在の相手の校正装置は、正当な装置ではなくこの校正装置では校正すべきではないと判定する。また、受け取ったＩＤが校正装置情報メモリ１１１１に予め記憶されているＩＤでなかった場合には、取得した校正装置のＩＤを使用して、このセンサ装置とペアになる校正装置ではない旨をこの校正装置に送信してもよい。
【００７０】
次に、センサ装置１１１０とペアを組む校正装置８５０をセンサ装置１１１０が選択することについて図１２を参照して説明する。  
校正装置８５０がセンサ装置１１１０の登録ＩＤを使用してセンサ装置１１１０へアクセスする（ステップＳ１２０１）。このステップで校正装置８５０がセンサ装置１１１０に接続して校正装置８５０の識別情報をセンサ装置１１１０に与えることができる。そして、センサ装置１１１０が校正装置８５０のＩＤを取得しＩＤ登録部８１１がＩＤメモリ１２５にこのＩＤを渡す（ステップＳ１２０２）。次にＩＤ判定部１２４が、校正装置８５０のＩＤが校正装置情報メモリ１１１１に予め記憶されているＩＤの中のいずれかと一致するかを判定し、一致しているＩＤがあると判定された場合にはステップＳ１２０４へ進み、一致しているＩＤがないと判定された場合にはステップＳ１２０６へ進む（ステップＳ１２０３）。
【００７１】
センサ装置１１１０が校正装置８５０のＩＤを使用して校正装置８５０にアクセスする（ステップＳ１２０４）。このステップでセンサ装置１１１０が校正装置８５０に接続してセンサ装置１１１０の識別情報を校正装置８５０に与えることができる。そして、校正装置８５０がセンサ装置１１１０のＩＤを取得しＩＤ登録部８５１がＩＤメモリ１６６にこのＩＤを登録する（ステップＳ１２０５）。一方、ステップＳ１２０６では、センサ装置１１１０が校正装置８５０のＩＤを使用して正当でない校正装置である旨を送信する。これによって、センサ装置１１１０がペアにすべき校正装置８５０と識別情報を交換することができ、適切な正当の装置同士でデータをやり取りすることが可能になる。
【００７２】
以上の第３の実施形態によれば、第１の実施形態の効果に加え、センサ装置１１１０が予め校正を受けるべき校正装置のリストを予め記憶しておき、校正装置のＩＤがこのリストにあるかどうか判定することにより、ペアを組むべき校正装置を決定することができ、誤った装置との間でデータの受け渡しがなくなり、正確な校正をするこができる。その結果、本実施形態によれば、時間的に連続して正確な血圧を測定することが可能になる。
【００７３】
（第４の実施形態）  
本実施形態に係る血圧測定装置１３００について図１３、図２、及び図３を参照して説明する。図１３は、血圧測定装置１３００の機能ブロック図であり、センサ装置１３１０と校正装置１３５０との詳細を示している。図２は、血圧測定装置１００を手首に装着した一例を示す図であり、手のひらの上方から見た概略透視図であるが、血圧測定装置１３００でも同様である。圧脈波センサ１１１は、センサ装置１１０の手首側に配置されている。図３は、血圧測定装置１００が装着されるイメージ図であり、手のひらを横（手を広げた場合の指が並ぶ方向）から見た概略透視図であるが、血圧測定装置１３００でも同様である。図３は、圧脈波センサ１１１が橈骨動脈に直交して配置されている一例を示している。図３は血圧測定装置１００が腕の手のひら側の腕に載せられているだけのように見えるが、実際は血圧測定装置１００は腕に巻き付いている。図２及び図３は第１の実施形態と同様である。
【００７４】
本実施形態の血圧測定装置１３００は、第１の実施形態に係る血圧測定装置１００とは、センサ装置１３１０と校正装置１３５０とが異なる。  
本実施形態のセンサ装置１３１０は、第１の実施形態のセンサ装置１１０からＩＤメモリ１２５を取り除き、ペアリング部１３１１とＩＤメモリ１３１２を付加したものである。ペアリング部１３１１は校正装置１３５０とペアリングするための動作を実行するものである。具体的には、ペアリング部１３１１は図１４で示す動作を行う。ＩＤメモリ１３１２は例えば、センサ装置１３１０の識別情報、ペアリング動作による確認コード、及び共有秘密情報を記憶する。
【００７５】
本実施形態の校正装置１３５０は、第１の実施形態の校正装置１５０からＩＤメモリ１６６を取り除き、ペアリング部１３５１とＩＤメモリ１３５２を付加したものである。ペアリング部１３５１はセンサ装置１３１０とペアリングするための動作を実行するものでありペアリング部１３１１と同様な動作を行う。ＩＤメモリ１３１２は例えば、校正装置１３５０の識別情報、ペアリング動作による確認コード、及び共有秘密情報を記憶する。
【００７６】
次に、センサ装置１３１０と校正装置１３５０とがペアリングする動作について図１４を参照して説明する。図１４に示す動作は、センサ装置１３１０及び校正装置１３５０の共に同様であるので、以下図１４を参照する説明で装置と称するものはセンサ装置１３１０及び校正装置１３５０のどちらのことも示す。  
双方の装置がペアリングを開始する（ステップＳ１４０１）。例えば、双方の装置から自身の識別情報を含む近距離無線用の電波を放射する。双方の装置がこの電波を受信することにより、双方の装置が相手の装置を認識する（ステップＳ１４０２）。双方の装置は、認識した相手が所望の相手かどうかを確認し所望の相手であれば確認コード受け付け、このコードに基づいて共有秘密情報を生成する（ステップＳ１４０３）。ここで所望の相手かどうかは例えば、ＩＤメモリ１３１２及びＩＤメモリ１３５２にペアリングする相手として基準を超えている機器のＩＤを登録しておいて、このメモリにＩＤ（識別情報）があるかどうかで判定してもよい。また、双方の装置から装置のスペック（仕様）または性能を示す情報を識別情報に含めて相手装置へ知らせ、この識別情報に基づいて、機器の性能がある基準を超えていることを示していれば、相手とペアリングすると判定してもよい。
【００７７】
そして、双方の装置間でこの共有秘密情報を交換する（ステップＳ１４０４）。以後、自装置で生成した共有秘密情報によってデータを暗号化し相手装置へ送信し、相手装置から受け取ったデータは相手装置から受け取った共有秘密情報によってデータを解読する（ステップＳ１４０５）。このような通信動作をペアリングが解除されるまで続ける（ステップＳ１４０６）。
【００７８】
以上の第４の実施形態によれば、第１の実施形態の効果に加え、近距離通信のペアリングによって所望の相手と自在にデータを交わすことができる。従って、センサ装置１３１０または校正装置１３５０が故障等で使用することができなくなっても、他の性能等の基準を満たす装置とペアリングすることで、生体情報の検出または測定を続けることができる。
【００７９】
（第５の実施形態）  
本実施形態に係る血圧測定装置１５００について図１５、図２、及び図３を参照して説明する。図１５は、血圧測定装置１５００の機能ブロック図であり、センサ装置１５１０と校正装置１５５０との詳細を示している。図２は、血圧測定装置１００を手首に装着した一例を示す図であり、手のひらの上方から見た概略透視図であるが、血圧測定装置１５００でも同様である。圧脈波センサ１１１は、センサ装置１１０の手首側に配置されている。図３は、血圧測定装置１００が装着されるイメージ図であり、手のひらを横（手を広げた場合の指が並ぶ方向）から見た概略透視図であるが、血圧測定装置１５００でも同様である。図３は、圧脈波センサ１１１が橈骨動脈に直交して配置されている一例を示している。図３は血圧測定装置１００が腕の手のひら側の腕に載せられているだけのように見えるが、実際は血圧測定装置１００は腕に巻き付いている。図２及び図３は第１の実施形態と同様である。
【００８０】
本実施形態の血圧測定装置１５００は、第４の実施形態に係る血圧測定装置１３００とは、センサ装置１５１０と校正装置１５５０とが異なる。  
本実施形態のセンサ装置１５１０は、第４の実施形態のセンサ装置１３１０に解除検出部１５１１を追加してものである。解除検出部１５１１は、校正装置１５５０とのペアリングが解除されたかどうかを監視し、ペアリングが解除された場合にはペアリングの再開をペアリング部１３１１に指示する。
【００８１】
本実施形態の校正装置１５５０は、第４の実施形態の校正装置１３５０に解除検出部１５５１を追加したものである。解除検出部１５５１は、センサ装置１５１０とのペアリングが解除されたかどうかを監視し、ペアリングが解除された場合にはペアリングの再開をペアリング部１３５１に指示する。
【００８２】
次に、センサ装置１５１０と校正装置１５５０とがペアリングが解除されたかどうか判定する動作について図１６を参照して説明する。  
センサ装置１５１０及び校正装置１５５０のそれぞれの解除検出部１５１１及び解除検出部１５５１がそれぞれ、通信部１１７及び通信部１５１からの受信情報に基づいてセンサ装置１５１０と校正装置１５５０とのペアリングによる接続が継続しているかどうかモニタする（ステップＳ１６０１）。次に、解除検出部１５１１及び解除検出部１５５１がペアリングが解除されたかどうかを判定し、ペアリングが解除されたと判定した場合にはステップＳ１６０３に進み、一方ペアリングが解除されていないと判定した場合にはステップＳ１６０１に戻りモニタを継続する（ステップＳ１６０２）。ステップＳ１６０３では、解除検出部１５１１及び解除検出部１５５１がそれぞれ、ペアリングを開始するようにペアリング部１３１１及びペアリング部１３５１へ指示する（ステップＳ１６０３）。ペアリング部１３１１及びペアリング部１３５１は、図１４に示したフローチャートに従ってペアリングを開始する（ステップＳ１６０４）。
【００８３】
ステップＳ１６０３では、通常、直前までつながっていた相手とペアリングを再度試みる。ＩＤメモリ１３１２及びＩＤメモリ１３５２には、直前に接続していた相手の装置が特定できるように識別情報等を記憶している。例えば、ＩＤメモリ１３１２及びＩＤメモリ１３５２はペアリング相手の識別情報と接続開始時刻及び接続終了時刻を記録しておく。また、ステップＳ１６０４でペアリングを試みてもある回数以上失敗する場合には、ＩＤメモリ１３１２に記載してある校正装置の識別情報を参照して、他の校正装置とペアリングを試みるようにしてもよい。この場合には、例えば、その校正装置へペアリングのリクエストを送信してペアリングを開始してもらう。
【００８４】
以上の第５の実施形態によれば、第１の実施形態の効果に加え、近距離通信のペアリングが解除されても自動的にペアリングを再開することができる。従って、時間的に連続して生体情報を正確に検出及び測定することがほとんど断続することなく継続的に行うことが可能になる。
【００８５】
上述の実施形態では、圧脈波センサ１１１は例えば、被測定部位（例えば、左手首）を通る橈骨動脈の圧脈波を検出する（トノメトリ方式）。しかしながら、これに限られるものではない。圧脈波センサ１１１は、被測定部位（例えば、左手首）を通る橈骨動脈の脈波をインピーダンスの変化として検出してもよい（インピーダンス方式）。圧脈波センサ１１１は、被測定部位のうち対応する部分を通る動脈へ向けて光を照射する発光素子と、その光の反射光（または透過光）を受光する受光素子とを備えて、動脈の脈波を容積の変化として検出してもよい（光電方式）。また、圧脈波センサ１１１は、被測定部位に当接された圧電センサを備えて、被測定部位のうち対応する部分を通る動脈の圧力による歪みを電気抵抗の変化として検出してもよい（圧電方式）。さらに、圧脈波センサ１１１は、被測定部位のうち対応する部分を通る動脈へ向けて電波（送信波）を送る送信素子と、その電波の反射波を受信する受信素子とを備えて、動脈の脈波による動脈とセンサとの間の距離の変化を送信波と反射波との間の位相のずれとして検出してもよい（電波照射方式）。なお、血圧を算出することができる物理量を観測することができれば、これらの以外の方式を適用してもよい。
【００８６】
また、上述の実施形態では、血圧測定装置１００、８００、１１００、１３００、及び１５００は、被測定部位として左手首に装着されることが想定されているが、これに限られるものではなく例えば、右手首でもよい。被測定部位は、動脈が通っていればよく、手首以外の上腕などの上肢であってもよいし、足首、大腿などの下肢であってもよい。
【００８７】
本発明の装置は、コンピュータとプログラムによっても実現でき、プログラムを記録媒体に記録することも、ネットワークを通して提供することも可能である。  
また、以上の各装置及びそれらの装置部分は、それぞれハードウェア構成、またはハードウェア資源とソフトウェアとの組み合せ構成のいずれでも実施可能となっている。組み合せ構成のソフトウェアとしては、予めネットワークまたはコンピュータ読み取り可能な記録媒体からコンピュータにインストールされ、当該コンピュータのプロセッサに実行されることにより、各装置の機能を当該コンピュータに実現させるためのプログラムが用いられる。
【００８８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００８９】
また、上記の実施形態の一部又は全部は、以下の付記のようにも記載されうるが、以下には限られない。
【００９０】
（付記１）  
第１ハードウェアプロセッサを備えるセンサ装置と、第２ハードウェアプロセッサとメモリとを備える校正装置と生体情報測定装置であって、
前記第２ハードウェアプロセッサは、
第１生体情報を間欠的に測定し、
前記第1生体情報を含むデータと、前記校正装置の識別情報である校正識別情報とを前記センサ装置へ送信し、
前記第１ハードウェアプロセッサは、
前記データと前記校正識別情報とを受信し、
前記校正識別情報が、前記センサ装置に対応する校正装置の情報であるかを判定し、
脈波を時間的に連続して検出し、
前記校正識別情報が前記対応する校正装置の情報である場合に、前記第１生体情報によって前記脈波を校正し、前記校正された脈波から第２生体情報を算出するように構成され、
前記メモリは、
前記第２生体情報を記憶する記憶部と、を備える生体情報測定装置。
【００９１】
（付記２）  
少なくとも１つのハードウェアプロセッサを用いて、第１生体情報を間欠的に測定し、
少なくとも１つのハードウェアプロセッサを用いて、前記第1生体情報を含むデータと、前記校正装置の識別情報である校正識別情報とを前記センサ装置へ送信し、
少なくとも１つのハードウェアプロセッサを用いて、前記データと前記校正識別情報とを受信し、
少なくとも１つのハードウェアプロセッサを用いて、前記校正識別情報が、前記センサ装置に対応する校正装置の情報であるかを判定し、
少なくとも１つのハードウェアプロセッサを用いて、前記校正識別情報が前記対応する校正装置の情報である場合に、前記第１生体情報によって前記脈波を校正し、前記校正された脈波から第２生体情報を算出することを備える生体情報測定方法。
【図１】
0006701437.tif 000002
【図２】
0006701437.tif 000003
【図３】
0006701437.tif 000004
【図４】
0006701437.tif 000005
【図５】
0006701437.tif 000006
【図６】
0006701437.tif 000007
【図７】
0006701437.tif 000008
【図８】
0006701437.tif 000009
【図９】
0006701437.tif 000010
【図１０】
0006701437.tif 000011
【図１１】
0006701437.tif 000012
【図１２】
0006701437.tif 000013
【図１３】
0006701437.tif 000014
【図１４】
0006701437.tif 000015
【図１５】
0006701437.tif 000016
【図１６】
0006701437.tif 000017